(57)【要約】少なくとも一つの金型キャビティ（９）と、少なくとも一つの金型キャビティ内にプラスチックを注入する注入手段（１５）とを備え、少なくとも一つのベース部（１３）が設けられており、少なくとも一つのモジュールと、少なくとも一つのモジュール（１０，１１）をベース部の上および／または中に取り付けるための取り付け手段とが設けられており、少なくとも一つのモジュールには、少なくとも一つの注入口と共に少なくとも一つの金型キャビティが設けられており、金型キャビティは、少なくとも第１の前進位置と第２の後退位置との間で移動可能な少なくとも一つの可動壁部（２１）を有しており、可動壁部の端部に駆動手段（２３）が設けられており、駆動手段はベース部に少なくとも部分的に含まれる射出成形装置。【選択図】図１
2010510914.tif 000002
【特許請求の範囲】
【請求項１】
少なくとも一つの金型キャビティと、前記少なくとも一つの金型キャビティ内にプラスチックを注入する注入手段とを備え、
少なくとも一つのベース部が設けられており、
少なくとも一つのモジュールと、前記少なくとも一つのモジュールを前記ベース部の上および／または中に取り付けるための取り付け手段とが設けられており、
前記少なくとも一つのモジュールには、少なくとも一つの注入口と共に少なくとも一つの前記金型キャビティが設けられており、
前記金型キャビティは、少なくとも第１の前進位置と第２の後退位置との間で移動可能な少なくとも一つの可動壁部を有しており、
前記可動壁部の端部に駆動手段が設けられており、
前記駆動手段は前記ベース部に少なくとも部分的に含まれることを特徴とする射出成形装置。
【請求項２】
少なくとも一つの金型キャビティと、前記少なくとも一つの金型キャビティ内にプラスチックを注入する注入手段とを備え、
少なくとも一つのベース部が設けられており、
少なくとも一つのモジュールが設けられており、
前記少なくとも一つのモジュールには、好ましくは請求項１に記載のように、少なくとも一つの注入口と共に少なくとも一つの前記金型キャビティが設けられており、
前記注入手段の少なくとも一部が前記ベース部に設けられており、
前記少なくとも一つのモジュールを前記ベース部の上および／または中に取り付けるための取り付け手段が、前記注入手段と前記少なくとも一つの注入口とを連結するように設けられていることを特徴とする射出成形装置。
【請求項３】
請求項１または２に記載の射出成形装置において、
前記駆動手段は、前記ベース部の上および／または中に設置されたモジュールの方向に駆動可能な少なくとも一つの動作要素を備え、前記動作要素と前記少なくとも一つの可動壁部とが接触しているか接触可能であることを特徴とする射出成形装置。
【請求項４】
請求項３に記載の射出成形装置において、
一組の動作要素が前記ベース部に設けられていることを特徴とする射出成形装置。
【請求項５】
請求項４に記載の射出成形装置において、
少なくともいくつかの動作要素は個別に制御可能であることを特徴とする射出成形装置。
【請求項６】
請求項４または５に記載の射出成形装置において、
少なくともいくつかの動作要素は連動して制御可能であることを特徴とする射出成形装置。
【請求項７】
請求項１〜６のいずれか一項に記載の射出成形装置において、
前記ベース部はプレス機の一部であることを特徴とする射出成形装置。
【請求項８】
請求項１〜７のいずれか一項に記載の射出成形装置において、
前記ベース部の中および／または上に、少なくとも一つの前記金型キャビティが設けられた一組のモジュールが取り付けられることを特徴とする射出成形装置。
【請求項９】
請求項１〜８のいずれか一項に記載の射出成形装置において、
前記ベース部は、前記注入手段の一部を構成する一組のチャネル部を備え、
少なくとも一つのチャネル部を他のチャネル部と切り離すための少なくとも一つのバルブが含まれることを特徴とする射出成形装置。
【請求項１０】
請求項９に記載の射出成形装置において、
前記チャネル部のそれぞれは、モジュールまたは金型キャビティの注入口と接続するための供給口を有することを特徴とする射出成形装置。
【請求項１１】
請求項１〜１０のいずれか一項に記載の射出成形装置において、
前記注入手段は、前記ベース部において前記モジュールの取り付け手段に面した側に好ましくは設けられている少なくとも一つのホットランナーを備えることを特徴とする射出成形装置。
【請求項１２】
プレス手段と、
請求項１〜１１のいずれか一項に記載の射出成形装置とを備え、
前記プレス手段は、少なくとも第１プレス部および第２プレス部を備え、
前記モジュールは、前記金型キャビティの少なくとも一部がその間に形成される第１および第２モジュール部を備え、
前記第１モジュール部は前記第１プレス部に取り付けられ、前記第２モジュール部は前記第２プレス部に接続されることを特徴とする製品成形装置。
【請求項１３】
請求項１２に記載の製品成形装置において、
前記ベース部は前記プレス部の一つに含まれることを特徴とする製品成形装置。
【請求項１４】
請求項１〜１１のいずれか一項に記載の射出成形装置、または請求項１２〜１３のいずれか一項に記載の製品成形装置を構成するためのベース部と一組のモジュールとの組み合わせであって、
前記モジュールは、同一のベース部に対する各モジュールおよび／または２以上の前記モジュールの組合せが前記ベース部と一緒に請求項１〜１１のいずれか一項に記載の射出成形装置の一部分を構成できるように、前記ベース部の上および／または中において交換可能であることを特徴とするベース部およびモジュールの組み合わせ。
【請求項１５】
少なくとも一つの注入口が、ベース部に少なくとも部分的に含まれる注入手段のチャネル部の供給口に連結されるように、前記少なくとも一つの注入口を有する金型キャビティを備えた少なくとも一つのモジュールが前記ベース部に取り付けられ、
製品を成形するために、前記注入手段によって前記少なくとも一つの金型キャビティ内にプラスチックが注入されることを特徴とする製品製造方法。
【請求項１６】
請求項１５に記載の製品製造方法において、
少なくとも一つのモジュールにおいて、各金型キャビティの可動壁部と各可動壁部を移動するための動作手段とが、前記モジュールを介して接触され、
前記動作手段は前記ベース部に少なくとも部分的に含まれることを特徴とする製品製造方法。
【請求項１７】
請求項１５〜１６のいずれか一項に記載の製品製造方法において、
前記モジュールを設置するのに先立って、前記ベース部の少なくとも一つのモジュールが各供給口および／または動作手段から取り除かれ、
取り除かれたモジュールと設置されるモジュールとは、特に内部の金型キャビティについて異なることを特徴とする製品製造方法。
【発明の詳細な説明】
【技術分野】
【０００１】
本発明は、製品を成形するための装置および方法に関する。
本発明は、特に、プラスチック製品などの製品を形成するのに適した射出成形装置に関する。
【背景技術】
【０００２】
種々の射出成形装置がこれまでに知られている。射出成形装置では、少なくとも二つ以上の相互に移動可能な部位を有する金型が用いられる。この各部位により、少なくとも一つの注入口を有する金型キャビティが形成される。注入口には、金型が閉じられた状態で、熱せられたプラスチックを高圧で金型キャビティ内に注入するために、たとえば注入装置のホットランナーが接続されている。金型内に注入されたプラスチックが金型内で冷却されることで、その形状を比較的保持したプラスチック製品が得られる。
【０００３】
こうした従来の射出成形装置では、金型の二つの部位がプレス機においてそれぞれ対向するプレート部に取り付けられる。当該金型部位には、冷却チャネル、フィードチャネル、駆動手段などの様々な射出成形装置の部品が設けられている。こうした射出成形装置において用いられる各金型は、射出成形装置および製造される製品ごとに、それぞれ個別に調節する必要がある。
【０００４】
WO2004/024416により、少なくとも一つ以上の移動可能な可動壁部を有し、これによって射出成形中に金型キャビティの形状と容量を調節する一つ以上の金型キャビティが設けられた射出成形装置および射出成形方法が知られている。この金型において可動壁部の端には駆動手段が設けられている。
【先行技術文献】
【特許文献】
【０００５】
【特許文献１】国際公開第２００４／０２４４１６号
【発明の概要】
【発明が解決しようとする課題】
【０００６】
これら従来の射出成形装置では、構成および使用方法が比較的複雑である。そのため、特に複数種類の製品を製造する際には比較的高価なものとなってしまう。特に、可動壁部を駆動するための駆動手段を設けた金型は、比較的高価である。
【課題を解決するための手段】
【０００７】
第１の態様において、本発明は、少なくともの一つの金型キャビティと、前記少なくとも一つの金型キャビティ内へプラスチックを注入するための注入手段とによって特徴付けられ、少なくとも一つのベース部が設けられており、少なくとも一つのモジュールと、前記少なくとも一つのモジュールを前記ベース部の上および／または中に取り付けるための取り付け手段とが設けられている。この少なくとも一つもモジュールには、少なくとも一つの注入口と共に少なくとも一つの前記金型キャビティが設けられており、金型キャビティは、少なくとも第１の前進位置と第２の後退位置との間で移動可能な少なくとも一つの可動壁部を有している。前記可動壁部を動かすために駆動手段が設けられており、駆動手段はベース部に少なくとも部分的に含まれる。
【０００８】
駆動手段がベース部に少なくとも部分的に含まれることにより、比較的単純なモジュールを用いることができ、さらにこれを交換することもできる。ここで、各モジュールには少なくとも一つの金型キャビティが設けられており、少なくともいくつかの金型キャビティは、ベース部の駆動手段により駆動可能な可動壁部を備えている。こうしてベース部を多数のモジュールと共に利用可能な標準部品とすることができる。
【０００９】
第２の態様において、本発明は、少なくともの一つの金型キャビティと、前記少なくとも一つの金型キャビティ内へプラスチックを注入するための注入手段とによって特徴付けられ、少なくとも一つのベース部が設けられており、少なくとも一つのモジュールが設けられている。少なくとも一つもモジュールには、少なくとも一つの注入口と共に前記金型キャビティが設けられており、前記注入手段の少なくとも一部が前記ベース部に設けられている。前記少なくとも一つのモジュールを前記ベース部の上および／または中に取り付けるための取り付け手段が、前記注入手段と前記少なくとも一つの注入口とを連結するように設けられている。
【００１０】
注入手段がベース部に少なくとも部分的に含まれることにより、比較的単純な手段を用いることができ、さらにこれを交換することもできる。ここで、各モジュールには少なくとも一つの金型キャビティが設けられており、各モジュール、すなわち各金型キャビティは、ベース部の注入手段と結合可能な注入口を備えている。こうしてベース部を多数のモジュールと共に利用可能な標準部品とすることができる。
【００１１】
好ましくは、注入手段と駆動手段の両方がベース部に設けられている。
【００１２】
特に有利な実施形態において、ベース部は、たとえばプレス機の一部としての射出成形プレスなどに含まれる。これにより、特にシンプルで、比較的駆動部が軽量の統合型射出成形装置を得ることができる。その結果、たとえば射出成形サイクルの期間を短くできる。および／または、より多くの金型キャビティを一度のプレスで利用することができる。および／または、設計の自由度を増すことができる。
【００１３】
好ましくは、注入手段と駆動手段が次のように設計される。金型キャビティが閉じられたとき、および少なくとも一つの可動壁部が使用されているときに、ある速さで可動壁部を退避位置から前進位置まで移動させながら、材料特にプラスチックを導入できる。このような速さで可動壁部を移動することにより、少なくともプラスチック分子間の摩擦および／または金型キャビティ壁との摩擦により、材料内の熱上昇、すなわち断熱熱上昇が得られる。これにより、より低い圧力で、および／または、より素早く、プラスチックの少なくとも一部分の温度を使用中に上昇させ、または冷却を遅らせて、金型キャビティ内を少ないエネルギーで充満させることができる。さらに、同じプラスチックで同様の製品を成形する従来の射出成形と比べて、より低い温度でプラスチックを金型キャビティ内に注入することができる。
【００１４】
駆動手段は、たとえば、油圧式、空気圧式、電気式、機械式、またはこれらの組合せとすることができる。また、たとえば可動壁部を駆動する速度、加速度、距離、動きのパターンを設定可能とすることができる。特に、複数の駆動手段を組にしてもよい。または、たとえば一つのおよび／または異なるモジュールに複数の可動壁部を設け、これらのモジュールの可動壁部とそれぞれ対をなす駆動要素を組み合わせて駆動手段を構成してもよい。たとえば、タペット棒、ピン、スライド、スピンドル、ピストン等の駆動手段をマトリックス状に設けることができる。これらが個別に駆動可能、または少なくとも設定可能であることが好ましいが、グループ単位で駆動することもできる。
【００１５】
注入手段にそれぞれ別個の複数のチャネル部を設け、たとえばベース部上で用いられるモジュールの数および種類に応じて、一つまたはそれ以上のチャネル部を個別にまたはグループ単位で切り離すためのバルブを設けてもよい。さらに有利な実施形態では、たとえばモジュールの注入口が接続されるチャネル部の放出口の中または周囲に隣接して、一つまたはそれ以上のホットランナーインジェクタをベース部に設けてもよい。
【００１６】
本発明による製品成形装置は、プレス手段および本発明による射出成形装置によって特徴付けられ、プレス手段は少なくとも第１プレス部と第２プレス部を有しており、モジュールは前記金型キャビティの少なくとも一部がその間に形成される第１および第２モジュール部を有している。第１モジュール部は第１プレス部に取り付けられ、第２モジュール部は第２プレス部に接続される。
【００１７】
本発明はさらに、第１の態様において、少なくとも一つの注入口を有する金型キャビティを供えた少なくとも一つのモジュールの使用によって特徴付けられる方法を含む。このモジュールは、前記少なくとも一つの注入口が、ベース部に少なくとも部分的に含まれる注入手段のチャネル部の供給口に連結されるように、ベース部に取り付けられる。そして、製品を成形するために、前記注入手段によって少なくとも一つの前記金型キャビティ内にプラスチックが注入される。
【００１８】
本発明の説明において、その実施形態を図面に基づいてさらに述べる。
【図面の簡単な説明】
【００１９】
【図１】本発明によるプレス機内の射出成形装置の概略を示す。
【図２】本発明による射出成形装置の側断面の概略を示す。
【図３】本発明による射出成形装置の他の実施形態における側断面の概略を部分的に示す。
【図４】本発明による射出成形装置のベース部を上方向から見た概略平面図を示す。
【図５】本発明による射出成形装置のさらに別の実施形態におけるベース部について図４のV-V線における側面断面の概略を示す。
【図６】本発明による金型の可動壁部とベース部における駆動手段の側面図を示す。
【発明を実施するための形態】
【００２０】
本明細書において、同一または対応する部分は、同一または対応する参照符号を有している。本明細書では、射出成形装置およびプラスチック製品の成形方法が出発点とされる。しかしながら、本発明はこれに限定されない。他の材料、たとえば軽金属などについても、同様の装置において加工できる。本明細書では、既知の加熱装置および、プラスチックを送り込む圧力を生成する装置、たとえば加熱手段を備えたスクリュフィーダを従来の方法で用いる射出成形装置を出発点としている。これは一般的にフィーダ装置として示される。しかしながら、他の種類のフィーダ手段を用いることもできる。図面においてこれらのフィーダ手段は注入手段の一部として表されている。
【００２１】
図１は、本発明による射出成形装置１の概略を部分的に示す側面断面図である。この射出成形装置１は、プレス機２に含まれている。プレス機２は、第１プレス部３、たとえば静止しているプレート４と、第２のプレス部５、たとえば移動するプレート６とを有する。プレス部３，５は、たとえば油圧式やはさみ型機構７などによる通常の方法で、一緒におよび別々に移動可能である。通常、こうしたプレス部の移動は、金型を開閉するために用いられる。このようなプレス機は当業者にとって周知であるため、さらなる説明は行わない。
【００２２】
図１および２を見て明らかなように、二つのモジュール８がプレート４，６の間に取り付けられている。原理的には、各モジュールはそれぞれ金型の一部分を構成している。この点から、各モジュールは少なくとも一つの金型キャビティ９を備えていることになる。各モジュール８は、第１モジュール部１０と第２モジュール部１１を含む。各モジュール部はそれぞれ通常のように金型キャビティ９の一部を含んでおり、図２に示す位置に共に移動されたときに閉じた金型キャビティの範囲を定める。第２のモジュール部１１は、クランプ１２を用いて移動プレート６に取り付けられている。第１のモジュール部１０は、クランプ１２を用いてベース部１３に取り付けられている。本実施形態において、ベース部１３は、プレス機２の静止プレート４に対して、たとえばボルト連結（不図示）により固定されている。当然ながら、各モジュール部１０、１１とベース部１３の取り付けには、周知の各種方法のうちで適したものを用いることができる。
【００２３】
図１に示す実施形態において、ベース部１３は、注入手段１５の一部としてのチャネル機構１４を含む。金型キャビティ９内にプラスチックを注入するために、チャネル機構は、プラスチックを溶かしてチャネル機構１４内へ加圧状態で流し込むことが可能なフィーダ装置１６と接続されている。ここでは簡単のために、フィーダ装置１６をポンプ記号で表している。チャネル機構１４は、モジュール８が取り付けられているベース部１３の表面１８において、複数の放出口１７を含む。各モジュール８は、チャネル機構１４のチャネル部１４Ａ，Ｂの少なくとも一つの放出口１７にぴったりと結合する少なくとも一つの注入口１９をそれぞれ備えている。プレート４の上にベース部１３を配置することによって、製造しようとする製品に応じて異なるモジュール８をその上に設置可能な共通の取り付け要素が備えられる。
【００２４】
図１および２では、それぞれが一つの金型キャビティ９を有する二つのモジュール８を示している。これらの金型キャビティ９は、たとえば同一製品を製造するために同じ形状としてもよいし、あるいは異なる製品や部品を一度に成形するため互いに異なる形状としてもよい。モジュール８はまた、複数の金型キャビティ９をたとえば横に並べて備えてもよい。このとき各金型キャビティが一つずつ注入口１９を備えてもよいし、複数の金型キャビティに対して一つの注入口を設け、たとえばこの注入口とチャネルを結合することにより、各金型キャビティを相互に接続してもよい。さらに、複数の金型を階層化し、チャネルが１番目の階層の金型キャビティを通過して２番目以降の階層へと達するようなモジュールとしてもよい。一般に、異なる種類および数のモジュール８をベース部１３上に設置することができ、いずれの場合においても、使用される各モジュール内の金型キャビティにおける少なくとも一つの注入口に対して、少なくとも一つの投入口が接続される。
【００２５】
図２に２つのモジュール８の概要をより詳細に示す。図２においてモジュール８は、可動プレート６と、固定プレート４すなわちベース部１３との間で、閉状態となっている。本実施の形態では、第２モジュール部１１をオス部品とし、第１モジュール部１０をメス部品としている。これらの間に、たとえばトレイ型の金型キャビティ９が作られている。ここでは、注入手段１５および金型キャビティ９内へのプラスチックの注入を制御する制御手段１５，２０と接続された一本の線により、チャネル機構１４を簡単に表している。第１モジュール部１０において、金型キャビティ９の壁部分の一部は、たとえばスライド移動可能な可動壁部２１とされる。この可動壁部２１は、たとえばいくつかの突起部２２により、ベース部１３に含まれる駆動手段２３によって支えられている。突起部２２すなわち可動壁部２１には、モジュール８の外からアクセスすることができる。本例ではベース部に面した表面２４において、この突起部および／または可動壁部２１を押すおよび／または引くことで、図２および図６の左側に概略を示すような退避位置と、図２および図６の右側に概略を示すような前進位置との間で、これを動かすことができる。これにより、さらに詳細に説明するように、閉じた金型キャビティ９の容積を簡単に調節することができる。
【００２６】
本実施形態では、駆動手段２３をピストンシリンダアセンブリ２４で表現しているが、単純化のため、以降ではこれをシリンダ２４として表す。シリンダ２４はタペット棒２５を有する。タペット棒２５は、突起部２２および／または可動壁部２１を動かすために、可動壁部２１に向かって駆動方向Ｆの方向に延びており、その端部２６が突起部２２および／または可動壁部２１と接触しているか接触可能である。シリンダ２４は、本実施形態に示すように個別に、またはグループごとに、制御手段２０と接続される。これにより、射出成形サイクルにおいて各可動壁部２１をどの時点で、どの程度の速さで、どの程度の距離を動かすかを、各シリンダに対して設定することができる。例示した実施形態では、注入口１９の周囲、すなわちここに接続されているチャネル部１４Ａの周囲に、可動壁部２１が延在している。タペット棒の端部２６は、当接による接続、または、たとえば密接による接続以外の方法では、突起部２２または可動壁部２１と連結されないことが好ましい。ただし、たとえば磁力、ネジ止め、クランプ止め、留め金等の着脱可能な結合方法により、タペット棒の端部２６と突起部２２すなわち可動壁部２１とを連結し、押し引き動作を伝達するようにしてもよい。可動壁部２１をさらにイジェクタとして機能させてもよい。
【００２７】
本発明による装置１により、一つの製品または一連の製品群が次のようにして製造される。一つまたはそれ以上のモジュール８が、図１および２に示すようにプレス機２に設置され、注入口１９が放出口１７に連結される。適宜、他のモジュール８が最初に取り除かれる。射出成形工程において一時的に使用されないベース部１３の放出口１７は、たとえばモジュール８により、または、モジュール８とは別個に設けられ、たとえば放出口１７に螺合により取り付けられたストッパ（不図示）により、封止される。モジュール８の可動壁部２１はそれ自身、すなわちその突起部２２が、常にシリンダ２４のタペット棒２５の一つを押しつけるか、またはタペット棒２５の一つに当たるように配置される。ここで、常に全てのシリンダ２４とタペット棒２５を使用する必要はない。可動壁部２１がたとえば図２左側のモジュール８に示すような退避位置に移動された後、たとえば融点よりも少し上の温度で、溶融されたプラスチックが金型内に注入される。比較的大きな容積の金型キャビティがほぼ完全にプラスチックで満たされた後、すなわち、比較的大きな寸法の金型キャビティに起因してプラスチックが受ける抵抗力が比較的小さい状態で必要なプラスチックが金型キャビティ内の大部分に注入された後に、可動壁部２１が比較的高速に（高加速度、高速度で）、比較的短い距離（成形する製品の厚さよりも短い距離）を、図２右側のモジュール８に概略を示すような前進位置まで移動する。このとき、プラスチックの一部分が押出され、摩擦によりプラスチック内に熱が発生する。その結果、プラスチックの温度が局所的に上昇する。より正確には、プラスチックの冷却に時間がかかるようになる。そのため、同じプラスチックを用いた同一製品に対する従来の射出成形と比較して、金型キャビティ全体を充満するために必要な圧力を低減することができる。また、同様のプレスにおける従来の射出成形と比較して、より薄くて大きな製品を射出成形で製造することができる。シリンダを個別にまたはグループごとに各時点で制御できるため、最適な駆動パターンでこれらを制御できると共に、個々の射出成形サイクルにおいて使用しないシリンダを停止させることができる。他のモジュールによる射出成形でも、さらに別のおよび／または同一のシリンダを駆動手段として制御することができる。
【００２８】
駆動手段は、周知の方法、たとえば油圧式、空気圧式、電気式、機械式、および／またはこれらの組合せの中で、任意のものとすることができる。
【００２９】
本発明による射出成形装置１の他の実施形態を図３に示す。ここでは、ベース部１３が略トレイ状の形状を有している。この実施形態において、図３に示す状態では一つのモジュール８を示しているが、当然ながら複数のモジュール８を同時に使用してもよい。図１および２と同一の部分には、これと同様の参照符号を付している。これらについては、本発明を適切に理解するのに必要な限りにおいて説明を行うものとする。
【００３０】
本実施形態において、第１モジュール部１０は、ほぼ全体的にぴったりとベース部１３のキャビティ２７内に包含されており、ベース部１３の底部２９から延びている外壁２８に接している。本例において、底部２９には、図２で説明したのと同様の４つのシリンダ２４に加えて、さらに、駆動手段２３の一部としての２つのシリンダ２４Ａを示している。装置使用時に、少なくともいくつかのシリンダ２４は、第１モジュール部１０内、本例では第１モジュール部の底を形成する部分において、金型キャビティ９の一部分である可動壁部２１を駆動する。さらなる２つのシリンダ２４Ａは、外壁２８に包含されている楔３０を駆動するようになっている。楔３０は、第２楔３２と傾斜面３３で接する。第２楔３２は、同様に傾斜面３３において、第１楔３０の傾斜面３２と接する。シリンダ２４Ａのタペット棒２５Ａを固定プレート４から離れるように方向Ｆに動かすことで、楔３０，３２が相互に移動し、第２楔３２がキャビティ２７の方向に突き動かされる。第２楔３２には突起部２２Ａが設けられている。この突起部２２Ａは、キャビティ２７の近傍すなわちキャビティ２７内に達しており、第１モジュール部１０の内側の可動壁部２１Ａに接して配置されている。これにより、可動壁部２１Ａは、キャビティ２７に対して、前進位置と退避位置との間を前後に移動することができる。こうした射出成形装置により、プレス機の閉じる方向Ｓに対して角度のある壁部、たとえば９０°の角度にある壁部についても、これを駆動することができる。また、突起部および／または可動壁部２１Ａの方向を適切に選択することで、１８０°以外の角度とすることもできる。当然ながら、多数のシリンダ２４をタペット棒と共に、横におよび／または前後に並べて配置することができる。加えて、たとえば射出成形用の自動装置やコンピュータ等を用いた制御手段２０により、各放出口１７を一緒に、個別に、またはグループ単位で駆動することができる。
【００３１】
こうした射出成形装置１により、上記で説明したのと同様な方法で製品を成形することができる。
【００３２】
本実施形態では、放出口（１つのみを図示）は、最適な射出成形工程となるように開閉または制御手段による調節が可能なホットランナーノズル３４を備えている。
【００３３】
図４は、たとえばモジュール８を除いた図３の射出成形装置１において用いられるようなベース部３を上方向から見た概略平面図を示している。ここではベース部をプレス機の固定プレート４としているが、これを別個のベース部１３としてもよい。ベース部３は、キャビティ２７を囲んで底部２９および外壁２８を備える。底部２９には、放出口１７がマトリックス状に設けられている。各放出口は、図５の断面図において明らかに示すように、ホットランナーノズル３４、またはこれと同様の栓をそれぞれ有している。各放出口１７の周囲および間には、駆動手段２３としてのシリンダ２４のタペット棒２５がマトリックス状に設けられている。図５では、外壁２８が比較的低く、これが位置決め手段として機能できるような例を示している。しかしながら、これを図３のようにしてもよい。チャネル機構１４は、主チャネル１４Ｂと、そこから放出口１７の中まで、より詳細には表面１８のホットランナーノズル３４まで延びているいくつかのチャネル部分１４Ａとを含む。各チャネル部分１４Ａにはバルブ３５が設けられ、これによって各チャネル部分１４Ａを個別に閉じることができる。これにより、設置するモジュールの種類や数に応じて、任意の放出口および／またはホットランナー３４を任意の時点で選択することができる。
【００３４】
射出成形装置においては、様々な製品に対する複数の製造工程に対応するため、高価で、技術的に複雑で、かさばり、繊細な部品や共通部品が一つまたはそれ以上のベース部に収容できることが明らかである。少なくとも金型キャビティを有し金型を適切に形成するモジュールは、可動壁部を備えていても、シンプルで、軽く、かさばらず、デザイン選択幅が大きいものとして製造することができる。
【００３５】
本発明は図面および明細書で説明した実施の形態に限定されるものではない。請求の範囲に記載された発明の枠組み内で様々な変形が可能である。
【００３６】
各実施形態およびその一部分において示されたものと異なる組合せを用いることもできる。たとえば、注入手段をプレス機２の移動プレート６に設置することができる。特に放出口および／または注入口を違った設計として、たとえば可動壁部と対向して設け、その一方で、ベース部１３を静止プレート４上またはこれと反対に配置し、これが緩衝手段、混合手段、着色手段等を含むようにしてもよい。また、移動および固定プレート４，６の双方にベース部１３を配置し、うち一方に、注入手段またはその一部分と共に、駆動手段等を設けてもよい。駆動手段を全て異ならせたり、一部分を異ならせてもよい。たとえば、充填された緩衝材は、少なくともモジュール部１０，１１が互いに接触したとき圧力が発生し、スイッチを引っ張る等により、充満された緩衝エネルギーを開放して駆動部分を動かすようにしてよい。ベース部は任意の形状および／または大きさとすることができる。シリンダのように少なくとも一つの、好ましくは複数の駆動手段の部分は、その動作方向Ｆを設定できるようにすることが好ましい。このようにすれば、異なる方向に移動可能な部位を有するモジュールとして利用することができる。
【００３７】
上記のおよび多数の同様な変形は、クレームに記載された発明の枠組み内となるように理解される。
【図１】
2010510914.tif 000003
【図２】
2010510914.tif 000004
【図３】
2010510914.tif 000005
【図４】
2010510914.tif 000006
【図５】
2010510914.tif 000007
【図６】
2010510914.tif 000008
【国際調査報告】
2010510914.tif 000009
2010510914.tif 000010
2010510914.tif 000011